(57)【要約】  １つのアクセスポイント（ＡＰ：Access Point）および少なくとも１つの端末局を有する無線ＬＡＮ（wireless Local Area Network）において空きチャンネル判定パラメータを最適化する方法が、起動条件を受け取ることにより開始される。エネルギー検出閾値（ＥＤＴ：Energy Detection Threshold）パラメータに対する上限および下限が決定される。ＥＤＴパラメータの値が計算され、上限および下限により制限される。最後にＥＤＴパラメータが更新される。この方法は、それぞれの端末局またはＡＰにて、そのＡＰに関連付けられたそれぞれの端末局に更新されたＣＣＡパラメータを通信することにより、実行することが可能である。
2007518358.tif 000002
【特許請求の範囲】
【請求項１】
アクセスポイントおよび少なくとも１つの端末局を有する無線ＬＡＮにおいて空きチャンネル判定（ＣＣＡ）パラメータを最適化する方法であって、
起動条件を受信すること、
エネルギー検出閾値（ＥＤＴ）パラメータに対する上限および下限を決定すること、
該ＥＤＴパラメータの値を計算すること、
該ＥＤＴパラメータを該上限および該下限により制限すること、
該ＥＤＴパラメータを更新すること、
を含むことを特徴とする方法。
【請求項２】
送信パケット誤り率が目標最大送信パケット誤り率を超え、かつ最小の数のパケットが送信されたときに、前記起動条件が存在すること、を特徴とする請求項１に記載の方法。
【請求項３】
受信パケット誤り率が目標最大受信パケット誤り率を超え、かつ最小の数のパケットが受信されたときに、前記起動条件が存在すること、を特徴とする請求項１に記載の方法。
【請求項４】
最小の時間期間が経過し、最小の数のパケットが送信され、かつ最小の数のパケットが受信されたとき、前記起動条件が存在すること、を特徴とする請求項１に記載の方法。
【請求項５】
前記上限が公式：
【数１】
2007518358.tif 000010
ここで、ＰＳＴＡは前記端末局の送信電力、ＲＮＧｂａｓｅは前記アクセスポイントの基本通信範囲、およびＲＮＧａｄｊは範囲調整値である、
により決定されること、
を特徴とする請求項１に記載の方法。
【請求項６】
前記下限が前記アクセスポイントの受信機感度レベルと等しいこと、を特徴とする請求項１に記載の方法。
【請求項７】
前記計算のステップが公式：
【数２】
2007518358.tif 000011
ここで、ＰＥＲＲｘは受信パケット誤り率、ＰＥＲＭＡＸＲｘは目標最大受信パケット誤り率である、ＰＥＲＴｘは送信パケット誤り率、ＰＥＲＭＡＸＴｘは目標最大送信パケット誤り率、ＤＲは待機率、ＤＲＭＡＸは目標最大延期率、Δはステップサイズ値、およびα、βとγは重み係数、
により、前記ＥＤＴパラメータの値を計算することを含むこと、
を特徴とする請求項１に記載の方法。
【請求項８】
前記計算のステップが、ＥＤＴ送信値およびＥＤＴ受信値を計算することを含むこと、を特徴とする請求項１に記載の方法。
【請求項９】
前記ＥＤＴ送信値が、公式：
【数３】
2007518358.tif 000012
ここで、ＤＲは待機率、ＤＲＭＡＸは目標最大待機率、ＰＥＲＴｘは送信パケット誤り率、ＰＥＲＭＡＸＴｘは目標最大送信パケット誤り率、Δはステップサイズ値、およびγとβは重み係数、
により計算されること、
を特徴とする請求項８に記載の方法。
【請求項１０】
前記ＥＤＴ受信値が、前記アクセスポイントの基本通信範囲に等しいこと、を特徴とする請求項８に記載の方法。
【請求項１１】
前記ＥＤＴ受信値が、公式：
【数４】
2007518358.tif 000013
ここで、ＥＤＴＭＡＸは最大ＥＤＴ値、ＰＥＲＲｘは受信パケット誤り率、ＰＥＲＭＡＸＲｘは目標最大受信パケット誤り率、およびαは重み係数、
により計算されること、
を特徴とする請求項８に記載の方法。
【請求項１２】
前記方法がそれぞれの端末局で実行されること、を特徴とする請求項１に記載の方法。
【請求項１３】
前記方法が前記アクセスポイントにて実行されること、かつ前記更新されたＥＤＴパラメータが該アクセスポイントに関連付けられたそれぞれの端末局に通信されること、を特徴とする請求項１に記載の方法。
【請求項１４】
前記更新されたＥＤＴパラメータが、前記アクセスポイントに関連付けられたそれぞれの端末局に個別に通信されること、を特徴とする請求項１３に記載の方法。
【請求項１５】
前記更新されたＥＤＴパラメータが、前記アクセスポイントに関連付けられたすべての端末局に同時に同報されること、を特徴とする請求項１３に記載の方法。
【請求項１６】
最適化端末局および被要求端末局を有する無線ＬＡＮにおいて空きチャンネル判定（ＣＣＡ）パラメータを最適化する方法であって、
該最適化端末局から該被要求端末局へＣＣＡパラメータ要求を送ること、
該被要求端末局にてＣＣＡパラメータを読み出すこと、
該被要求端末局から該最適化端末局に該ＣＣＡパラメータを報告すること、および
該最適化端末局にて新しいＣＣＡパラメータを計算すること、
を備えることを特徴とする方法。
【請求項１７】
前記被要求端末局に前記新しいＣＣＡパラメータを通知することのステップをさらに備えること、を特徴とする請求項１６に記載の方法。
【請求項１８】
前記最適化端末局がアクセスポイントであること、および
前記被要求端末局が少なくとも１つの端末局であること、
を特徴とする請求項１６に記載の方法。
【請求項１９】
前記最適化端末局がアクセスポイントであること、および
前記被要求端末局がアクセスポイントであること、
を特徴とする請求項１６に記載の方法。
【請求項２０】
前記最適化端末局が1つの端末局であること、および
前記被要求端末局が少なくとも１つの端末局であること、
を特徴とする請求項１６に記載の方法。
【請求項２１】
前記最適化端末局が端末局であること、および
前記被要求端末局がアクセスポイントであること、
を特徴とする請求項１６に記載の方法。
【請求項２２】
アクセスポイントおよび少なくとも１つの端末局を有する無線ＬＡＮにおいて空きチャンネル判定（ＣＣＡ）パラメータを最適化する方法であって、
該アクセスポイントでの端末局に対して最適ＣＣＡパラメータを計算すること、
該アクセスポイントから該端末局へＣＣＡパラメータ制御要求を送ること、
該端末局が該要求されたＣＣＡパラメータに変更が可能であるかを判定すること、かつ変更を為すことが可能であるなら、該端末局にて該ＣＣＡパラメータを変更すること、および
該端末局から該アクセスポイントにメッセージを送ることにより、該ＣＣＡパラメータ制御要求に応答すること、
のステップを含むことを特徴とする方法。
【請求項２３】
少なくとも１つの端末局を有する無線ＬＡＮにおいて空きチャンネル判定パラメータを最適化するアクセスポイントであって、
受信機、
エネルギー検出器、
チャンネル可用性判定装置、
当該のアクセスポイントから入力パラメータを受け取り、該ＣＣＡパラメータを計算するＣＣＡ計算装置、
を備えることを特徴とするアクセスポイント。
【請求項２４】
アクセスポイントを有する無線ＬＡＮにおいて空きチャンネル判定（ＣＣＡ）パラメータを最適化する端末局であって、
受信機、
エネルギー検出器、
チャンネル可用性判定装置、
当該の端末局から入力パラメータを受け取り、該ＣＣＡパラメータを計算するＣＣＡ計算装置、
を備えることを特徴とする端末局。
【請求項２５】
無線ＬＡＮにおいて空きチャンネル判定（ＣＣＡ）パラメータを最適化する集積回路であって、
受信機、
エネルギー検出器、
チャンネル可用性判定装置、
入力パラメータを受け取り、該ＣＣＡパラメータを計算するＣＣＡ計算装置、
を備えることを特徴とする集積回路。
【発明の詳細な説明】
【技術分野】
【０００１】
本発明は一般に、無線ＬＡＮ（ＷＬＡＮ：Wireless Local Area Network）に、およびより詳細にはＷＬＡＮにおける空きチャンネル判定パラメータを最適化する方法に関する。
【背景技術】
【０００２】
ＷＬＡＮシステムにおいては、ＤＣＦ（Distributed Coordination Function：自律分散制御）が最善努力原則（best effort basis）における非同期データ転送の基本的アクセス法である。ＷＬＡＮのＤＣＦモードは、すべての端末局に対するチャンネルへの均等なアクセスを促す競合サービスを支援するために使用される。これを達成するために使用される多重アクセス方式がＣＳＭＡ／ＣＡ（Carrier Sense Multiple Access with Carrier Avoidance：搬送波検知多重アクセス／衝突回避）方式である。端末局でチャンネルが使用中かを検出する１つの方法は、他のＷＬＡＮユーザから送られるすべての検出されたパケットを分析することによること、および他の信号源からの相対的な信号強度によりチャンネルでの使用状況を検出することによることである。データ伝送の前に実行される物理的搬送波検知は空きチャンネル判定（ＣＣＡ：Clear Channel Assessment）と呼ばれる。
【０００３】
ＣＣＡは８０２．１１準拠の装置のパケット送受信に使用される。データ送信の前に装置は、ＣＣＡを使用することにより、無線媒体が空いていることを確認せねばならない。データ受信に関しては、装置は使用中チャンネルに対してＣＣＡ評価基準に合致するパケットのみを検知する。
【０００４】
８０２．１１標準は種々のＣＣＡモードを定義する。一般的に使用されるＣＣＡモードは、搬送波を検知しかつエネルギーがＥＤＴ（Energy Detect Threshold：エネルギー検出閾値）を超えた後に、媒体が使用中であると報告することを必要とする。より詳細には、ＥＤＴを超えるエネルギーを有するＷＬＡＮ型の信号が検出されたときにＣＣＡは媒体使用中と報告する。別のＣＣＡモードは、搬送波検知だけ、またはＥＤＴを超えるエネルギーだけを必要とする。
【０００５】
パケットの送信および受信両方に対してＣＣＡを調整するために、通常単一のＥＤＴパラメータが使用される。ＣＣＡは送信に対しては、以下の場合に上手く調整されたとされる：すなわち、
１）基本サービスセット（ＢＳＳ：Basic Service Set）内から端末局（ＳＴＡ：ＳＴＡtion）がパケットを送信したときは、常にチャンネルが使用中であるとアクセスポイント（ＡＰ：Access Point）が検知する場合。
２）隣接しているＢＳＳ内の装置からのパケット伝送のために、ＡＰが持っているパケットの送信先であるＳＴＡが、チャンネルが使用中であると検知したときには常に、そのＡＰもまたチャンネルが使用中であると検知する場合。この条件を満足させることにより、ＡＰは外部のパケットを優先（defer）させ、伝送エラーを引き起こす。
３）隣接しているＢＳＳ内の装置がそのチャンネルを使用していても、ＡＰが持っているパケットの送信先であるＳＴＡが、チャンネルが空いていると検知したときは常に、そのＡＰはチャンネルが空いていると検知する場合。この条件を満足させることにより、不要な待機（deferral）は回避される。
【０００６】
他方では、ＣＣＡは受信に対しては、以下の場合に上手く調整されたとされる：すなわち、
１）ＡＰが、そのＢＳＳの通信可能領域内のすべてのＳＴＡからのパケットを受信する能力がある場合。ＥＤＴパラメータがあまりに高く設定されると、セル端に位置するＳＴＡにより送信されたパケットをＡＰが受信できない場合がある。
２）隣接しているＢＳＳ内の装置からのパケットをＡＰが検知しない場合。ＥＤＴパラメータがあまりに低く設定されると、そのＢＳＳの外に位置しているＳＴＡにより送信されたか、または他のＡＰにより送信されたパケットに対してＡＰで「搬送波が固定化（carrier lock）」する場合がある。外部の伝送に対して「固定化（locking）」が発生すると、ＡＰは自身のＢＳＳ内のＳＴＡからのいずれの伝送をも取り逃がすであろう。そのようなシナリオでは、自身のＢＳＳ内のＳＴＡからのパケットが、ＡＰが受信している外部のパケットと衝突するであろうため、パケット誤りがもたらされるであろう。
【発明の開示】
【発明が解決しようとする課題】
【０００７】
理想的なＥＤＴの設定を決定することは、パケット送信に対する最適化およびパケット受信に対する最適化の間のトレードオフにかかわる。そのうえ、変動するネットワーク条件（例えば、ＢＳＳサイズにおける変化）に順応するために、ＥＤＴパラメータを調整するための動的な方法が必要である。
【課題を解決するための手段】
【０００８】
１つのアクセスポイント（ＡＰ：Access Point）および少なくとも１つの非ＡＰ端末局（ＳＴＡ：STAtion）を有するＷＬＡＮにおいて、ＣＣＡパラメータを最適化する３つの方法が記述される。ここで「ＣＣＡパラメータ」という用語は、ＣＣＡモードおよびＥＤＴパラメータの値を集合的に示すために使用される。
【０００９】
第１の方法は、ＳＴＡの間、またはＳＴＡおよびＡＰの間に、いずれの特定の信号方式をも必要としない。この方法においては、それぞれのＳＴＡまたはＡＰが、ある統計に基づき自身のＣＣＡパラメータに対する最適な設定を独立に見出すよう試みる。ＳＴＡおよびＡＰの間には、ＣＣＡパラメータの設定に関して情報の共有は全くない。この方法は、起動条件を受け取ることにより開始される。ＥＤＴパラメータに対する上限および下限が決定される。ＥＤＴパラメータの値が計算され、この上限および下限により制限される。最後にＥＤＴパラメータが更新される。この方法は、任意の１つのＳＴＡ、すべてのＳＴＡ、またはＡＰにおいて実行可能である。
【００１０】
第２の方法は、ＳＴＡまたはＡＰにより使用されるＣＣＡパラメータの値を通信するために、ＳＴＡ間またはＳＴＡとＡＰの間での信号方式を必要とする。この方法においては、それぞれのノード（ＳＴＡまたはＡＰ）は、他のＳＴＡまたはＡＰにより使用されるＣＣＡパラメータの値に関して知る可能性を有するが、１つのノードはそれ自身のＣＣＡパラメータの変更のみが可能である。この第２の方法は、他のＳＴＡおよび／またはＡＰからその時点で使用しているＣＣＡパラメータの値の報告を要求されたＳＴＡまたはＡＰから開始される。要求されたＳＴＡおよび／またはＡＰは、要求ＳＴＡまたはＡＰにこれらの値を報告する。要求ＳＴＡまたはＡＰは次に、それ自身のＣＣＡパラメータとして使用するための最適値を計算する。この計算に引き続き、要求ＳＴＡまたはＡＰはそれ自身のＣＣＡパラメータ値を変更し、かつ随意的に、その新規な値を他のＳＴＡまたはＡＰに通信する場合がある。
【００１１】
第３の方法は、ＳＴＡ間またはＳＴＡとＡＰの間での信号方式を必要とし、それにより１つのＳＴＡまたはＡＰが他のＳＴＡまたはＡＰによって使用されているＣＣＡパラメータの値を修正することを可能とする。この第３の方法においては、ノードは、それ自身およびシステムの他のノードに対するＣＣＡパラメータの最適な設定を決定することができ、要求ノードが決定したそれら個別の最適なＣＣＡパラメータを他のノードが使用するよう要求することができる。１つのＡＰおよび１つまたはいくつかのＳＴＡを備えるインフラストラクチャＢＳＳでは、要求ノードは望ましくはＡＰであるべきである。この方法は、ＡＰに関連付けられた１つまたは複数のＳＴＡに対して最適なＣＣＡパラメータをＡＰが計算することから開始される。この計算は、第１の方法において使用される計算と同一である場合（または同一ではない場合）がある。それぞれのＳＴＡに対する最適なＣＣＡパラメータの決定に引き続き、ＡＰは最適なＣＣＡパラメータの個別の値をそれぞれのＳＴＡに通信する。ＳＴＡは、要求されたパラメータ変更が可能であるかを判定し、その変更の成否をＡＰへの応答メッセージにおいて示す。
【００１２】
少なくとも１つの端末局を有する無線ＬＡＮにおいてＣＣＡパラメータを最適化するアクセスポイントは、受信機、エネルギー検出器、チャンネル可用性判定装置、およびアクセスポイントから入力パラメータを受け取り、ＣＣＡパラメータを計算するＣＣＡ計算装置を備える。
【００１３】
アクセスポイントを有する無線ＬＡＮにおいてＣＣＡパラメータを最適化する端末局は、受信機、エネルギー検出器、チャンネル可用性判定装置、および端末局から入力パラメータを受け取り、ＣＣＡパラメータを計算するＣＣＡ計算装置を備える。
【００１４】
無線ＬＡＮにおいてＣＣＡパラメータを最適化する集積回路は、受信機、エネルギー検出器、チャンネル可用性判定装置、および入力パラメータを受け取り、ＣＣＡパラメータを計算するＣＣＡ計算装置を備える。
【００１５】
本発明のより詳細な理解は、例として与えられる好適な実施例の以下の記述から得ることができ、かつ添付図面に関連して理解されるべきである。
【発明を実施するための最良の形態】
【００１６】
本発明は、ＷＬＡＮシステムにおけるＣＣＡに対して使用されるＥＤＴパラメータを動的に最適化する方法を記述する。
【００１７】
【表１】
2007518358.tif 000003
【００１８】
【表２】
2007518358.tif 000004
【００１９】
本発明による第１の方法を用いる、ＣＣＡ最適化処理１００のフロー図が図１に示される。処理１００は、ＡＰにおいておよび個々のＳＴＡにおいて適用することが可能である。このＣＣＡ最適化処理はＥＤＴを適切なレベルに決定することを取り扱う。ＣＣＡモードは、受信された信号がＥＤＴを超えており、かつＷＬＡＮ信号が検知された場合に使用中を表示するように設定されることが望ましい。あるいはまたＣＣＡモードは、受信された信号がＥＤＴを超えさえすれば使用中を表示するように設定される場合がある。
【００２０】
起動動作
ＥＤＴ最適化処理１００は以下の条件のいずれかにより起動される：
１．ＰＥＲＴｘ＞ＰＥＲＭａｘＴｘで、かつＥＤＴの最終更新以来少なくともＮＴｘ個のパケットを送信済み。
２．ＰＥＲＲｘ＞ＰＥＲＭａｘＲｘで、かつＥＤＴの最終更新以来少なくともＮＲｘ個のパケットを受信済み。
３．周期的起動タイマの満了、すなわちＴＥｌａｐｓｅｄ＞ＴＰｅｒｉｏｄｉｃ、かつＥＤＴの最終更新以来、少なくともＮＴｘ個のパケットを送信済み、かつＮＲｘ個のパケットを受信済み。ＴＥｌａｐｓｅｄは、ＥＤＴの最終更新以来の経過時間である。
【００２１】
条件１により起動された場合には、最適化処理１００は不十分な待機の問題を解決するよう試みる。ダウンリンク（ＤＬ：DownLink）における過度のパケット誤りの１つの原因は、ＥＤＴを極端に高く設定することであり、隣接しているＢＳＳの伝送によりＳＴＡが搬送波を固定化されても、ＡＰはチャンネルが使用中であるとは検知しない。問題が実際に存在することを確認するために、最小数の送信パケットが送付される。
【００２２】
条件２により起動された場合には、最適化処理１００は過度に敏感なＡＰの問題を解決するよう試みる。アップリンク（ＵＬ：UpLink）における過度のパケット誤りの１つの原因は、ＥＤＴを極端に低く設定することである。ＡＰが隣接しているＢＳＳパケットに固定化され、ＡＰがそれ自身のＳＴＡからのパケットを取り逃すという結果を生ずる。ＵＬパケット誤りは一般に、ＡＰが隣接しているＢＳＳ伝送で既に搬送波を固定化されているときに、ＳＴＡがパケットを送信する場合に発生する。問題が実際に存在することを確認するために、最小数の受信パケットが付加される。
【００２３】
条件３は一般的な最適化目的のためのものである。最適化処理１００は、集合的に意味のある統計を得るために必要なパケットの送受信が為されるたびに、周期的に起動される。
【００２４】
起動パラメータは、過度のパケット誤り状態に対して最適化処理１００が迅速に反応するように、選択されるべきである。例えば最適化処理１００は、１秒に１回周期的に、必要な統計が収集されるたびに、起動され得る。起動するために最低１００のパケットが必要であるなら、誤り率１０％の場合には１０の誤りをもたらす。
【００２５】
ＥＤＴ限界の決定
最適化処理１００は、ＥＤＴパラメータに対する上下の限界を決定することにより開始される（ステップ１０２）。ＥＤＴパラメータについての上限（ＥＤＴＭＡＸ）は以下の通り決定される：
【００２６】
【数１】
2007518358.tif 000005
【００２７】
ここでＲＮＧａｄｊは、電力制御アルゴリズムにより決定される範囲調整値である。ＥＤＴパラメータは、ＡＰがそれ自身のＢＳＳから発するすべてのパケットを少なくとも検知することが可能なように設定されるべきである。ＥＤＴＭＡＸは、セル端に位置するＳＴＡからの送信が受信される信号レベルに対応する。
【００２８】
ＥＤＴＭＡＸの計算値が、８０２．１１標準により許容された最大値と比較され、この２つの値の低い方が採用される。標準により許容されたＥＤＴの最大値は、ＡＰの送信電力ＰＡＰに基づく。ＥＤＴＭＡＸは、ＲＮＧｂａｓｅ、ＲＮＧａｄｊ、およびＰＳＴＡが電力制御アルゴリズムにより修正があり得る場合にいつでも動的に計算され、ＲＮＧｂａｓｅ、ＲＮＧａｄｊ、またはＰＳＴＡに変更がある場合はいつでも更新される。
【００２９】
ＥＤＴパラメータについての下限、ＥＤＴＭＩＮは、ＡＰ受信機感度レベル、ＲＳＡＰに設定される。
【００３０】
ＥＤＴの更新
次に、ＥＤＴパラメータが、その時点の値、受信および送信されたパケットの誤り率、および待機率に基づき計算される（ステップ１０４）：すなわち、
【００３１】
【数２】
2007518358.tif 000006
【００３２】
重み係数に対するデフォルト値は１であり、システムの配置（すなわち、ＡＰおよびＳＴＡのレイアウト）に基づき最適化することが可能である。
【００３３】
ＥＤＴパラメータは、下限および上限の間で調整される（ステップ１０６）：すなわち、
【００３４】
【数３】
2007518358.tif 000007
【００３５】
ＥＤＴの値が更新され（ステップ１０８）、そして処理は終了する（ステップ１１０）。ＥＤＴ最適化処理１００の最後の実施以来のチャンネル変更が発生すると、ＥＤＴパラメータが自動的にＥＤＴＭＩＮに設定されることが注目される。
【００３６】
あるいはまた、送信および受信に対して異なるＥＤＴパラメータ設定を使用することが可能である。ＥＤＴＴｘはパケット送信に対して最適化され、ＥＤＴＲｘはパケット受信に対して最適化される。パケット送信の直前に、ＡＰはＣＣＡ  ＥＤＴパラメータをＥＤＴＴｘに設定し、データ送信が完了するたびにそれをＥＤＴＲｘに設定し直す。
【００３７】
ＥＤＴＴｘは、以下の式を使用すること以外は、図１に示されたものと同様の手順を用いて決定される：すなわち、
【００３８】
【数４】
2007518358.tif 000008
【００３９】
次にＥＤＴＴｘは、式（３）に示されるように、上下限の間で調整される。
【００４０】
一実施例において、ＥＤＴＲｘ＝ＲＮＧｂａｓｅである。別の実施例においては、ＥＤＴＲｘは以下の式により設定される：すなわち、
【００４１】
【数５】
2007518358.tif 000009
【００４２】
本発明により構成された、ＡＰまたはＳＴＡ２００を図２に示す。ＡＰまたはＳＴＡ２００は、エネルギー検出器２０４に接続された受信機２０２を含む。チャンネル可用性判定装置２０６は、エネルギー検出器２０４に接続され、かつＣＣＡ計算装置２０８はチャンネル可用性判定装置２０６に接続される。ＣＣＡ計算装置２０８は、入力としてＤＲやＰＥＲなどのパラメータを受領し、そしてチャンネルが使用中かを判定するためにＥＤＴ値を用いるチャンネル可用性判定装置２０６へ、ＥＤＴ値を出力する。ＥＤＴ値はまた、ＣＣＡ計算装置２０８に循環して戻され、式（２）および（３）で示されるように使用される。
【００４３】
第２の方法を使用するＣＣＡ最適化処理３００の図は図３において示される。この方法は、任意のＳＴＡやＡＰにより使用可能である。この方法を使用するＳＴＡまたはＡＰは、「最適化（optimizing）」端末局３０２と呼ばれる。最適化端末局３０２は、他のＳＴＡまたはＡＰ３０４でのＣＣＡパラメータの設定についての情報を要求する（ステップ３１０）。この信号方式を実施するためにはいくつかの可能性がある。
【００４４】
第１の可能性は、最適化端末局３０２によりそのアドレスが知られている周囲のＳＴＡまたはＡＰ３０４（「被要求（requested）端末局」）それぞれに最適化端末局３０２が別々の要求を送出（ユニキャスト）することである。最適化端末局３０２は、これらのアドレスを別の手段で知ることができる。例えば最適化端末局３０２がＡＰである場合には、自身に関連付けられたすべてのＳＴＡのアドレスを必然的に承知している。最適化端末局３０２がＳＴＡである場合には、同一基本サービスセット（ＢＳＳ：Basic Service Set）における他のＳＴＡのアドレスに関しては、受信されたパケットのＭＡＣアドレスを見ることにより、知ることが可能である。しかしながら、ＷＬＡＮプロトコルはインフラストラクチャＢＳＳにおけるＳＴＡの間の直接的通信を許容しない場合がある。その場合には、この方法はＡＰのみで使用可能であるであろう。
【００４５】
要求には最適化端末局３０２および被要求端末局３０４のアドレスが含まれねばならない。８０２．１１準拠のＷＬＡＮにおいては、この情報は既にＭＡＣヘッダーに存在するであろう。随意的に、要求には被要求端末局３０４が反応すべき制限時間を含めることができる。被要求端末局３０４は、要求を含むパケットを正しく受信したすぐ後に（ちょうど特定の端末局に向けられた他の任意のパケットのように）確認応答を返送する。このように最適化端末局３０２は、被要求端末局３０４が要求を適切に受信したことを知り、そしてある時間以内に確認応答を受信しなかった場合にはその要求を含むパケットを再送することが可能である。
【００４６】
第２の可能性は、最適化端末局３０２がすべての周囲の端末局３０４に向けた１つの一般的な要求を送ることである。基本サービスセット（ＢＳＳ：Basic Service Set）の識別情報のみを特定する同報メッセージを送信することにより、これを為すことが可能であり、この場合には特定されたＢＳＳに属するＳＴＡのみが応答するであろう。ＣＣＡパラメータを報告させることが必要なすべてのＳＴＡのアドレスを特定するマルチキャストメッセージを送信することによりまた、これを為すことが可能である。
【００４７】
第３の可能性においては、ＳＴＡ（非ＡＰ）は、直接ＳＴＡからパラメータを要求する代わりに、自身が関連付けられているＡＰに、このＡＰに関連付けられている１つまたは複数のＳＴＡのＣＣＡパラメータについて要求することができる。この要求には、ＣＣＡパラメータを報告させることが必要なＳＴＡのアドレス、またはＢＳＳ内のすべてのＳＴＡのＣＣＡパラメータが要求されていることを示す特別なフラグが含まれるであろう。この要求に引き続き、ＡＰは被要求端末局３０４のＣＣＡパラメータで応答することができる。ＡＰはこの情報を既に有する場合があり、またはそれは、最適化端末局３０２に応答する前にＳＴＡから情報を要求する（上で記述された機構の１つを使用して）必要がある場合がある。
【００４８】
上で記述された機構の１つにより、ＣＣＡパラメータ要求を首尾よく受け取ったいずれのＳＴＡに関しても、そのＳＴＡは、自身がその時点で使用しているＣＣＡパラメータの値を読み出す（ステップ３１２）。これらの値（ＣＣＡモードおよびＥＤＴ）は、通常、被要求端末局３０４の管理情報ベース（ＭＩＢ：Management Information Base）において見出すことが可能である。ＣＣＡパラメータを読み出した後に、被要求端末局３０４は（通常の８０２．１１プロトコルにより媒体へのアクセス権を得た後に）ＣＣＡパラメータ報告書を送信する（ステップ３１４）。この報告書は、ＢＳＳ内のすべてのＳＴＡへ同報される場合（この場合には、確認応答は期待されていない）があり、または望ましくも最適化端末局３０２に向けられたユニキャストである場合がある。後者の場合には、最適化端末局３０２から確認応答が期待され、失敗の場合には被要求端末局３０４が再送することが可能である。この報告書には、ＣＣＡパラメータの値が含まれる。
【００４９】
最適化端末局３０２がすべての被要求端末局３０４からＣＣＡパラメータ報告書を受け取ると（または最適化端末局３０２の裁量によっては、要求の送信以来ある期間が経過した後に）、最適化端末局３０２は自身で使用する新しいＣＣＡパラメータを計算する（ステップ３１６）。
【００５０】
ＣＣＡパラメータを決定する簡単な方法は、ＣＣＡパラメータが受信された中での最も敏感なＳＴＡ（すなわち、ＥＤＴパラメータの設定が最も低いＳＴＡ）のＣＣＡパラメータを使用することである。経路損失情報が利用可能である場合には、最も敏感な報告ＳＴＡと同程度に敏感になるようにＥＤＴパラメータを計算可能である。ＡＰは例えば、そのＥＤＴパラメータを、それが外部の伝送にその最も敏感なＳＴＡと同程度に敏感であるように、設定することが可能である。ＡＰはそのＥＤＴパラメータを、その敏感なＳＴＡのＥＤＴパラメータより、最も顕著な外部干渉への経路損失における差異に等しい量だけ少なく設定することにより、これを達成可能である。
【００５１】
最適化端末局３０２は、それが使用するべきである新しいＣＣＡパラメータを計算した後すぐに、その新しい設定を適用可能である。随意的に、他の被要求端末局３０４にＣＣＡパラメータ通知を送ることができ、最適化端末局３０２がこれから使用する新しい設定についてそれらに通知することができる（ステップ３１８）。特定のＳＴＡ（ユニキャスト）または複数のＳＴＡ（マルチキャストまたは同報）にこのメッセージを向けることができる。
【００５２】
第３の方法を使用するＣＣＡ最適化処理４００の図が図４において示される。この方法は、インフラストラクチャＢＳＳにおけるＡＰにより使用されることが望ましいが、非ＡＰ端末局による使用（例えば、独立ＢＳＳにおいて）も排除されない。この方法を使用するＡＰは「制御（controlling）」端末局４０２と呼ばれる。制御端末局４０２は、同一ＢＳＳにおけるそれ自身および他のＳＴＡに対する最適なＣＣＡパラメータを計算または推定する（「被制御（controlled）」端末局４０４のステップ４１０）。この決定は、上で開示された方法１００を使用して実行される場合、されない場合がある。
【００５３】
あらゆるＳＴＡ（これらは、アルゴリズムに依って被制御端末局４０４のそれぞれと異なる場合、異ならない場合がある）に対して最適ＣＣＡパラメータを決定した後に、制御端末局４０２は被制御端末局４０４にそれらのＣＣＡパラメータを修正するよう要求する（「ＣＣＡパラメータ制御要求」；ステップ４１２）。すべての被制御端末局４０４に対し、ＣＣＡパラメータが同一である場合には制御端末局４０２は、ＣＣＡパラメータの値とともにＢＳＳ識別情報、および随意的に応答の制限時間を含む、同報メッセージを送ることができる。また、ＣＣＡパラメータに対する値とともにすべての被制御端末局４０４のアドレスを含むマルチキャストメッセージを送ることもできる。それぞれの被制御端末局４０４に別々に新しいＣＣＡパラメータとともにユニキャストメッセージ（確認応答あり）を、制御端末局４０２が送ることが望ましい。新しいＣＣＡパラメータが被制御端末局４０４のそれぞれについて異なる場合には、マルチキャストまたはユニキャストのメッセージが必須である。
【００５４】
ＣＣＡパラメータ制御要求メッセージの受信成功に引き続き、被制御端末局４０４は制御端末局４０２により要求された新しいＣＣＡパラメータを適用することが可能であるか否かを判定する（ステップ４１４）。被制御端末局４０４の能力（例えば、無線感度または要求されたＣＣＡモードの可用性）に依っては、新しいパラメータを適用することが可能でない場合がある。修正が可能な場合には、被制御端末局４０４はそのＣＣＡパラメータを修正し（ステップ４１６）、制御端末局４０２へのユニキャストメッセージとして（推奨）、またはＢＳＳ中のすべてのＳＴＡへの同報メッセージとして、すぐに応答（「ＣＣＡパラメータ制御応答」）を送信する（ステップ４１８）。このメッセージには、ＣＣＡパラメータ修正の成否を示すフラグが含まれる。失敗の場合には、このメッセージには随意的に、失敗の理由（使用可能でないＣＣＡモードであるとか、要求されたＥＤＴ値が低過ぎ、または高過ぎとか）を特定する「原因」フィールドを含むことができる。それにはまた、その時点で被制御端末局４０４により使用されているＣＣＡパラメータの値が含まれる場合がある。
【００５５】
すべての被制御端末局４０４から応答を受信した後に（または制御端末局４０２の裁量によっては、要求の送信以来ある時間期間が経過した後に）、制御端末局４０２は方法１００において記述されたのと同様の方法で、最適化アルゴリズムの次の予定されている起動まで何もしないと決めることができる。制御端末局４０２はまた、被制御端末局４０４のいくつかが応答を返送しなかった場合には、被制御端末局４０４に要求の送信を繰り返すよう決定することができる。
【００５６】
本発明がここにＷＬＡＮに関連して記述されているが、本発明の原理は他のタイプの無線通信システムにも適用可能である。そのような状況においては、ＳＴＡには、限定するものではないが、無線送受信ユニット（ＷＴＲＵ：Wireless Transmit/Receive Unit）、ユーザ設備、固定型または移動体の加入者ユニット、ページャなどの装置、または無線環境において動作する能力のあるいかなる他のタイプの装置もが包含され得る。同様にＡＰには、限定するものではないが、基地局（base station）、ノードＢ（Node B）、サイト制御装置などの装置、または無線環境におけるいかなる他のタイプのインタフェース装置もが包含され得る。
【００５７】
本発明の特徴および要素が好適な実施例において特定の組み合わせで記述されているが、それぞれの特徴または要素は、単独で（好適な実施例の他の特徴および要素なしで）、または本発明の他の特徴および要素のあるなしにかかわらず様々な組み合わせにて使用可能である。本発明の特定の実施例が示され、記述されてきたが、多くの修正および変更が本発明の範囲から逸脱することなく当業者により為し得るものである。上の記述は例証のためのものであり、多少なりとも特定の発明に限定しようとするものではない。
【図面の簡単な説明】
【００５８】
【図１】本発明の第１の方法による、エネルギー検出閾値最適化の処理のフロー図である。
【図２】図１に示された処理を具体化する装置のブロック図である。
【図３】本発明による第２の方法を実施するための、ＡＰまたはＳＴＡおよび別のＡＰまたはＳＴＡの間の信号方式を示す図である。
【図４】本発明による第３の方法を実施するための、ＡＰおよびＳＴＡの間の信号方式を示す図である。
【図１】
2007518358.tif 000014
【図２】
2007518358.tif 000015
【図３】
2007518358.tif 000016
【図４】
2007518358.tif 000017
【国際調査報告】
2007518358.tif 000018